(57)【特許請求の範囲】
【請求項１】
コンクリート構造物における壁面に対して水平に多段状に凹陥形成された溝に対し、これよりも下部の壁面にストッパ板の下面に具えられたスリーブに挿通させたストッパピンを打ち込むことにより、ソイルストッパが固定されて成り、前記ソイルストッパは、支持面が前記溝における溝底と段差が生じないように接する状態に設けられ、且つ前記支持面は植物の根が通り抜けることができる構造を有し、前記溝及びソイルストッパによって植生袋を支持していることを特徴とするコンクリート構物における壁面の緑化構造。
【請求項２】
前記溝における溝底は、壁面に向かって上昇する斜面を形成したことを特徴とする請求項１記載のコンクリート構造物における壁面の緑化構造。
【請求項３】
少なくとも、前記壁面及び溝底には植物性長繊維織布を貼付したことを特徴とする請求項１または２記載のコンクリート構造物における壁面の緑化構造。
【請求項４】
前記植物性長繊維織布にはネットを被覆したことを特徴とする請求項３記載のコンクリート構造物における壁面の緑化構造。
【請求項５】
前記植生袋における切り口には、開止めピンを具えたことを特徴とする請求項１、２、３または４記載のコンクリート構造物における壁面の緑化構造。
【請求項６】
コンクリート構造物における壁面に対して水平に多段状に溝を凹陥形成し、この溝よりも下部の壁面にストッパ板の下面に具えられたスリーブに挿通させたストッパピンを打ち込むことにより、ソイルストッパを固定し、前記ソイルストッパを、支持面が前記溝における溝底と段差が生じないように接する状態に設け、且つ前記支持面を植物の根が通り抜けることができる構造を有するものとし、前記溝及びソイルストッパによって植生袋を保持させることを特徴とするコンクリート構造物における壁面の緑化工法。
【請求項７】
前記溝における溝底は、壁面に向かって上昇する斜面を形成するようにしたことを特徴とする請求項６記載のコンクリート構造物における壁面の緑化工法。
【請求項８】
少なくとも、前記壁面及び溝底には植物性長繊維織布を貼付することを特徴とする請求項６または７記載のコンクリート構造物における壁面の緑化工法。
【請求項９】
前記植物性長繊維織布にはネットを被覆することを特徴とする請求項８記載のコンクリート構造物における壁面の緑化工法。
【請求項１０】
前記植生袋における切り口には、開止めピンを設けることを特徴とする請求項６、７、８または９記載のコンクリート構造物における壁面の緑化工法。
【発明の詳細な説明】
【０００１】
【発明の属する技術分野】
本発明はコンクリート構造物の壁面に対して植物を定着することのできる緑化構造並びにその工法に関する。
【０００２】
【発明の背景】
従来より山間部の谷間渓流地帯での土石流、山崩れ、崖崩れ等の災害対策として砂防堰堤が建設されている。また山間部の道路の路肩には、法面の崩落による災害対策として擁壁を構築している。
しかし、これら砂防堰堤、擁壁は災害対策上は有効であるものの、コンクリート構造物（白色の塊）であるため図７に示すように自然の色（樹木の緑色、茶色等）になじまず、景観を著しく損ねていた。
【０００３】
ところで本出願人は、急傾斜法面に植物を植えるにあたって用いる植物（苗木）の新たな支持部材を考案し、すでに「土留め用ストッパ」として実用新案登録（登録第２５４１４２５号）に至っており、また「土留め用枠材」として意匠登録（登録第９３８００５号）に至っている。更にこの土留め用ストッパを用い、苗木に適した土壌と苗木とを収容した植生袋を支持する「土留め用ストッパを併用した法面等の緑化工法」についても特許（特許第２６６０３１５号）に至っており、苗木の法面への定着に関する技術を確立し、相応の効果を上げている。
【０００４】
【開発を試みた技術課題】
本発明はこのような背景に鑑みなされたものであって、本出願人による実用新案登録（登録第２５４１４２５号）に係る考案である「土留め用ストッパ」を用い、コンクリート構造物の壁面に対して植物を定着することのできる新規なコンクリート構造物における壁面の緑化構造並びにその工法の開発を技術課題とした。
【０００５】
【課題を解決するための手段】
すなわち請求項１記載のコンクリート構造物における壁面の緑化構造は、コンクリート構造物における壁面に対して水平に多段状に凹陥形成された溝に対し、これよりも下部の壁面にストッパ板の下面に具えられたスリーブに挿通させたストッパピンを打ち込むことにより、ソイルストッパが固定されて成り、前記ソイルストッパは、支持面が前記溝における溝底と段差が生じないように接する状態に設けられ、且つ前記支持面は植物の根が通り抜けることができる構造を有し、前記溝及びソイルストッパによって植生袋を支持していることを特徴として成る。
この発明によれば、植生袋を壁面から突出した状態で支持することができ、このため前記突出部に植物を植栽することで植物が無理なく上方へ伸びていくことができ、この植物の育成及び植物の育成による壁面の被覆を確実に行うことができる。
またソイルストッパと植生袋との接触面が段差にならないため、植生袋に余分なストレスが加わらない。
【０００６】
また請求項２記載のコンクリート構造物における壁面の緑化構造は、前記要件に加え、前記溝における溝底は、壁面に向かって上昇する斜面を形成したことを特徴として成る。
この発明によれば、降雨、散水により、溝の内部に適量の水を収容することができ、植物の育成に寄与することができる。また余剰な水は溝底面と壁面との境界から溢れ出すため、根腐れ等を引き起こさない。
【０００７】
更にまた請求項３記載のコンクリート構造物における壁面の緑化構造は、前記要件に加え、少なくとも、前記壁面及び溝底には植物性長繊維織布を貼付したことを特徴として成る。
この発明によれば、まず植物が生長する以前でも、壁面を自然になじむ色とし、景観を損なうことのないコンクリート構造物とすることができる。
また壁面に対して保水性を持たせることができ、また植物の根が傷付くことなく張りめぐることができる。
更にまた、夏季にはコンクリート焼けを防ぎ、冬季には保温効果により、植物の衰弱を防ぐことができる。
【０００８】
更にまた請求項４記載のコンクリート構造物における壁面の緑化構造は、前記請求項３記載の要件に加え、前記植物性長繊維織布にはネットを被覆したことを特徴として成る。
この発明によれば、植物性長繊維織布を全体にわたって支持することで、植物性長繊維織布の脱落を防ぐことができる。また植物のつる、根が絡みつくことができるため特に蔦系の植物の場合、つるが壁面全域に伸びていくことができる。
【０００９】
更にまた請求項５記載のコンクリート構造物における壁面の緑化構造は、前記要件に加え、前記植生袋における切り口には、開止めピンを具えたことを特徴として成る。
この発明によれば、繊網体のほつれを防ぐことができ、混合土壌及び植物の流出を防ぐことができる。
【００１０】
また請求項６記載のコンクリート構造物における壁面の緑化工法は、コンクリート構造物における壁面に対して水平に多段状に溝を凹陥形成し、この溝よりも下部の壁面にストッパ板の下面に具えられたスリーブに挿通させたストッパピンを打ち込むことにより、ソイルストッパを固定し、前記ソイルストッパを、支持面が前記溝における溝底と段差が生じないように接する状態に設け、且つ前記支持面を植物の根が通り抜けることができる構造を有するものとし、前記溝及びソイルストッパによって植生袋を保持させることを特徴として成る。
この発明によれば、植生袋を壁面から突出した状態で支持することができ、このため前記突出部に植物を植栽することで植物が無理なく上方へ伸びていくことができ、この植物の育成及び植物の育成による壁面の被覆を確実に行うことができる。
またソイルストッパと植生袋との接触面が段差にならないため、植生袋に余分なストレスが加わらない。
【００１１】
また請求項７記載のコンクリート構造物における壁面の緑化工法は、前記請求項６記載の要件に加え、前記溝における溝底は、壁面に向かって上昇する斜面を形成するようにしたことを特徴として成る。
この発明によれば、降雨、散水により、溝の内部に適量の水を収容することができ、植物の育成に寄与することができる。また余剰な水は溝底面と壁面との境界から溢れ出すため、根腐れ等を引き起こさない。
【００１２】
更にまた請求項８記載のコンクリート構造物における壁面の緑化工法は、前記請求項６または７記載の要件に加え、少なくとも、前記壁面及び溝底には植物性長繊維織布を貼付することを特徴として成る。
この発明によれば、まず植物が生長する以前でも、壁面を自然になじむ色とし、景観を損なうことのないコンクリート構造物とすることができる。
また壁面に対して保水性を持たせることができ、また植物の根が傷付くことなく張りめぐることができる。
更にまた、夏季にはコンクリート焼けを防ぎ、冬季には保温効果により、植物の衰弱を防ぐことができる。
【００１３】
更にまた請求項９記載のコンクリート構造物における壁面の緑化工法は、前記請求項８記載の要件に加え、前記植物性長繊維織布にはネットを被覆することを特徴として成る。
この発明によれば、植物性長繊維織布を全体にわたって支持することで、植物性長繊維織布の脱落を防ぐことができる。また植物のつる、根が絡みつくことができるため特に蔦系の植物の場合、つるが壁面全域に伸びていくことができる。
【００１４】
更にまた請求項１０記載のコンクリート構造物における壁面の緑化工法は、前記請求項６、７、８または９記載の要件に加え、前記植生袋における切り口には、開止めピンを設けることを特徴として成る。
この発明によれば、繊網体のほつれを防ぐことができ、混合土壌及び植物の流出を防ぐことができる。
そしてこれら各請求項記載の発明の構成を手段として前記課題の解決が図られる。
【００１５】
【発明の実施の形態】
以下、本発明の「コンクリート構造物における壁面の緑化構造並びにその工法」について図面に基づいて具体的に説明する。この説明にあっては、まずコンクリート構造物１について説明し、続いて「コンクリート構造物における壁面の緑化工法」に用いる諸部材について説明する。そして「コンクリート構造物における壁面の緑化工法」について説明しながら、併せてその結果物である「コンクリート構造物における壁面の緑化構造」について説明する。
【００１６】
図中符号１に示すものがコンクリート構造物であって、本実施の形態においては一例として、発明の背景で述べた山間部の谷間渓流地帯での土石流、山崩れ、崖崩れ等の災害対策として建設される砂防堰堤とするが、同じく発明の背景で述べた擁壁やダム等の山間部に構築される構造物であってもよく、更には、ビルディング、家屋等市街地に構築される構造物であっても構わない。
【００１７】
コンクリート構造物１たる砂防堰堤は、無筋コンクリートあるいは鉄筋コンクリートのいずれとするかを強度、耐力、コストの面で種々検討した上で設計されるのであり、本実施の形態においては一例として中空状のコンクリート造り（中空重力式）とする。このものの構築にあたっては、まず地盤を掘削して岩盤を出し、この岩盤にひび割れ、シーム等があればセメントを注入して補強する。
次いで岩盤面を洗浄し、浮石類を取り除いた上に型枠を構成し、ここにコンクリートを打設する。
このようにして得られるコンクリート構造物１は一例として堤高数ｍ〜十数ｍ、堤長数ｍ〜十数ｍ、堤幅数十ｃｍ〜数ｍとし、長手方向の中心を分断して水通し２を設けて成る。また断面形状は図３に示すように上流面３（山側）を垂直面とし、下流面４を斜面とした。
【００１８】
そして図１、２、３に示すようにコンクリート構造物１の壁面の一方である下流面４の長手方向に沿って複数の溝５を多段状（一例として９２０ｍｍ間隔とするが、植物Ｐの品種によって適宜変更される）に形成する。この溝５は図３（ａ）に示すように断面形状を一例として２０ｃｍ×２０ｃｍの正方形（植生袋２０の寸法に応じて適宜変更される）とするのであり、また溝５における溝底５ａは、下流面４に向かって上昇する斜面を形成するようにする。
つまりこの場合には溝底５ａと下流面４との角度を９０°に設定した状態であっても溝底５ａは下流面４に向かって上昇する斜面を形成するようになる。
【００１９】
続いて「コンクリート構造物における壁面の緑化工法」に用いる諸部材について説明する。
植物性長繊維織布６は、ヤシ、麻等の比較的安価な植物繊維を平らに広げ、接着剤を振りかけたり、機械的に絡ませたりして得た、厚さ１０ｍｍ程度のシート状部材である。本実施の形態では一例として数十ｃｍ×数十ｃｍのシートを一単位とする。
また本実施の形態では前記植物繊維としてヤシを用いるのであり、その色は薄い茶色である。また前記植物繊維の代わりに化学繊維を用いることもできるが、後述するようにこの植物性長繊維織布６中には植物Ｐの根が張りめぐることになるため、また保水性を有することからも植物繊維を用いることが好ましい。
【００２０】
ネット９は、１０ｍｍメッシュの網体であり、その素材を合成繊維（ナイロン等）とし、またその色を緑色とした。
また前記合成繊維の代わりに植物繊維を用いることもできるが、後述するようにこのネット９は、前記植物性長繊維織布６を覆い、このものを保持する役目を担うため、経時変化が少なく強度低下を起こさない合成繊維が好ましい。
【００２１】
次にソイルストッパ１０について説明する。このものは本出願人による実用新案登録（登録第２５４１４２５号）に係る考案であって、図４に示すようにストッパ板１１とストッパピン１５とにより構成され、このうちストッパ板１１は、平面「コ」の字状の補強鉄筋１２を枠部材として、この補強鉄筋１２に網体１３を張設し、更にこの網体１３の一方の面には２本のスリーブ１４を具えて成る。そして前記ストッパ板１１の大きさとしては一例として４５ｃｍ×８ｃｍ（スリーブ１４を二基具える）または１００ｃｍ×８ｃｍ（スリーブ１４を三基具える）のものを使用したが、用途に応じてその大きさは種々可変することができる。
【００２２】
なお図４に示す実施の形態ではストッパ板１１の支持面を網体１３としたが、この他、平板上に多数の穴を設けたり、長穴状のスリットを複数設けて植物Ｐの根が通り抜けることができる構造とすることができる。更に、前記補強鉄筋１２を利用して細径の丸棒を、すのこ状に一定の間隔を隔てて設けることにより、通り抜け構造を構成することもできる。
また、ストッパ板１１の形状は図４に示す平板状のものが最も汎用性があり使いやすいが、特殊な形状の植物が植え込まれるような用途の限定された場合には、両端が垂直ないしは斜めに立ち上がったような籠形に構成したものが採用できる。
【００２３】
次に図５に示す植生袋２０について説明すると、このものは、通気、通水、植物Ｐの根の通過ができるように、樹脂繊維の繊網体２１を用い、その内部に苗木に適合した混合土壌２２を収納したものである。また本実施の形態では繊網体２１の材質として樹脂繊維を用いているが、麻、木綿等の植物繊維の使用も可能である。
【００２４】
以下、本発明の「コンクリート構造物における壁面の緑化工法」について説明する。
（１）コンクリート構造物の構築
まず地盤を掘削して岩盤を出し、この岩盤にひび割れ、シーム等があればセメントを注入して補強する。
次いで岩盤面を洗浄し、浮石類を取り除いた上に型枠を構成し、ここにコンクリートを打設し、そのコンクリートが凝固した時点で型枠を取り外し、コンクリート構造物１を構築する。
【００２５】
（２）植物性長繊維織布の貼付
そして図３に示すように少なくとも、壁面たる下流面４及びこの下流面４に形成した溝５における溝底５ａには、植物性長繊維織布６を適宜の間隔でコンクリート釘７を打ち込んで貼付する。この貼付にあっては一枚の植物性長繊維織布６を折り曲げて溝底５ａから下流面４にわたって連続的に設けることが好ましいが、下流面４と溝底５ａの部分を分断して個別に貼付するようにしても構わない。  また後述するネット９の被覆の際に更にコンクリート釘７を打ち込むため、この時点では仮止め程度で構わない。
また図３に示す実施の形態では下流面４及び溝底５ａのみに植物性長繊維織布６を貼付したが、溝５内全域に貼付しても構わない。
また特に上流側や上方からの景観を配慮する必要がある場合には、上流面３及び壁頂部に植物性長繊維織布６を貼付することもある。
【００２６】
（３）ストッパピン用の穿孔
次に、ソイルストッパ１０を固定するストッパピン１５を打ち込むための孔１５ａを適宜ドリルを用いて穿設するのであり、その位置については設置後のソイルストッパ１０が、その支持面たるストッパ板１１が前記溝５における溝底５ａと接するように（延長線状、屈曲状は問わないが、段差が無いようにする）その位置を設定する。本実施の形態では溝底５ａは、下流面４に向かって上昇する斜面を形成しているため延長線状とした。因みに本実施の形態では溝底５ａの３０ｍｍ下方に孔１５ａを穿孔した。
また前記ストッパ板１１が４５ｃｍ×８ｃｍであればスリーブ１４に対応する二カ所に、また１００ｃｍ×８ｃｍであればスリーブ１４に対応する三カ所に穿孔する。
このような孔１５ａの下流面４への穿設は、前記植物性長繊維織布６の貼付の前に行ってもよい。
【００２７】
（４）ネットの被覆
次に前記植物性長繊維織布６にネット９を被覆するのであって、径６ｍｍ、長さ５０〜６０ｍｍ程度のコンクリート釘７を径３５〜４０ｍｍ程度の座金８を用いて１ｍ2 あたり１２本程度を目安として下流面４に打ち込み、ネット９を固定する。
【００２８】
（５）ソイルストッパの設置
次にストッパ板１１の下面に具えたスリーブ１４にストッパピン１５を挿通させ、その尖端を下流面４に形成した孔１５ａに打ち込むことによりストッパ板１１を下流面４に対して固定する。
このとき、３５〜４０ｍｍ程度の座金８を用い、前記植物性長繊維織布６及びネット９を押さえ付けるようにすることが好ましい。
このようにして複数のソイルストッパ１０を図１、２、３に示すように、溝５に沿って多段状（一例として９２０ｍｍ間隔）に設置する。
【００２９】
（６）植生袋の設置
そして前記溝５に対して植生袋２０を押し込むのであり、このとき植生袋２０は図３に示すように溝底５ａとストッパ板１１とによって保持されるのであって、１／３（１５ｃｍ）程度が溝５からはみ出した状態となる。
更に、帯状ゴムの両端にフックを具えた保持バンド１６を用い、この保持バンド１６をストッパ板１１における補強鉄筋１２または網体１３の二点間に張架することで植生袋２０を固定する。もちろん植生袋２０の中腹部に適宜ピンを打ち込むことで固定するようにしてもよい。
【００３０】
（７）植物の植栽及び開止めピンの打ち込み
ここまでの工法が済んだところで植生袋２０の下流面４より突出した部分の上部を切り開き、この切り口から花、樹木等の植物Ｐを植え込み、更に前記切り口によって分断された繊網体２１間に鎹状の開止めピン２３を差し込んでおく。
前記植物Ｐは適宜のものが選択されるが、年間８０〜１００ｃｍ生長する蔦類が好ましい。また前記溝５を９２０ｍｍ間隔で多段状に形成したのは、蔦類を植栽することを前提としたためであり、その他の植物Ｐを植栽する場合には溝間隔を適宜変更することもある。
【００３１】
また工法の簡略化のために、植物Ｐを植生袋２０に植え込んだ状態で溝５及びソイルストッパ１０に設置する場合もある。
また、植物Ｐの苗木には品種によってそれぞれ適切な植栽時期があるため、ここまでの施工が時期外れの場合には、植生袋２０のみ設置し、その後適期に植物Ｐを植え込むことで植物Ｐの育成を安全確実なものとする。
【００３２】
（８）その後の植物の成育と周辺環境との調和
本発明の「コンクリート構造物における壁面の緑化工法」は上述のようにして実施されるのであり、この結果本発明の「コンクリート構造物における壁面の緑化構造」を構築することができる。この時点ですでに、植物性長繊維織布６及びネット９によって下流面４が被覆されているため、周辺の景観（山林）の色に自然にとけこみ、人工建造物特有の違和感を与えないのである。
【００３３】
やがて植物Ｐが生長するに伴い、つるは植栽した部分から上方に伸びて行くのであり、素直に下流面４に貼付した植物性長繊維織布６及びネット９に沿って広がっていく。また根は溝底５ａに貼付した植物性長繊維織布６内及びストッパ板１１を通り抜けて下方の下流面４に貼付した植物性長繊維織布６内に伸びていく。
【００３４】
また溝５における溝底５ａは、下流面４に向かって上昇する斜面を形成しているため、降雨、散水によりこの部分に適量の水が溜まるのである。更に植物性長繊維織布６の繊維間にも水が保持される。
また植物性長繊維織布６により、夏季にはコンクリート焼けを防ぎ、冬季には保温効果により、植物Ｐの衰弱を防ぐことができる。
そして植物Ｐの生長に伴い、数カ月後には下流面４を植物Ｐである蔦のつるが覆い、コンクリート構造物１をより自然に近い状態とすることができるのである。
【００３５】
【本発明に関連する参考形態】
次に本発明と技術的思想において関連した参考例について説明するものであり、先の実施の形態では溝５を下流面４の長手方向に沿って（水平に）多段状に形成したが、図６に示すように垂直に形成することもできる。
【００３６】
また本発明の「コンクリート構造物における壁面の緑化構造並びにその工法」は、既存のコンクリート構造物１に対して適用することもできるのであって、図３（ａ）中、仮想線で囲んだ部分をユニット化し、コンクリート構造物１の壁面に後付けすることで既存のコンクリート構造物１の壁面を緑化することができる。
【００３７】
また先の実施の形態においてはコンクリート構造物１たる砂防堰堤の上流面３（山側）を垂直面とし、下流面４を斜面とし、この下流面４を施工面としたが、施工面たる下流面４を垂直面とすることもできる。
この場合にも溝５における溝底５ａは下流面４に向かって上昇する斜面を形成するのであり、図３（ｂ）に示すように溝底５ａと下流面４との角度が鋭角になるようにする。
【００３８】
【発明の効果】
本発明の「コンクリート構造物における壁面の緑化構造並びにその工法」は上記のような構成より成るものであって、これにより以下のような効果を発揮する。
まず植生袋２０を壁面から突出した状態で支持することができ、このため前記突出部に植物Ｐを植栽することで植物Ｐが無理なく上方へ伸びていくことができ、この植物Ｐの育成及び植物Ｐの育成による壁面の被覆を確実に行うことができる。
【００３９】
また、降雨、散水により、溝５の内部に適量の水を収容することができ、植物Ｐの育成に寄与することができる。また余剰な水は溝底５ａと壁面との境界から溢れ出すため、根腐れ等を引き起こさない。
【００４０】
更にまたソイルストッパ１０と植生袋２０との接触面が段差にならないため、植生袋２０に余分なストレスが加わらず、植生袋２０の損傷を起こさない。
【００４１】
更にまた、植物Ｐが生長する以前でも、壁面を自然になじむ色とし、景観を損なうことのないコンクリート構造物１とすることができる。また壁面に対して保水性を持たせることができ、また植物Ｐの根が傷付くことなく張りめぐることができる。また、夏季にはコンクリート焼けを防ぎ、冬季には保温効果により、植物の衰弱を防ぐことができる。
【００４２】
更にまた、植物性長繊維織布６を全体にわたって支持することで、植物性長繊維織布６の脱落を防ぐことができる。また植物Ｐのつる、根が絡みつくことができるため特に蔦系の植物の場合、つるが壁面全域に伸びていくことができる。
【００４３】
更にまた繊網体２１のほつれを防ぐことができ、混合土壌２２及び植物Ｐの流出を防ぐことができる。
そしてこれらにより、コンクリート構造物１の壁に対して植物Ｐを定着することのできる新規な「コンクリート構造物における壁面の緑化構造並びにその工法」を提供することができる。
【図面の簡単な説明】
【図１】  本発明のコンクリート構造物における壁面の緑化構造を一部拡大して示す斜視図である。
【図２】  同上正面図である。
【図３】  同上縦断側面図である。
【図４】  ソイルストッパを示す斜視図である。
【図５】  植生袋を示す斜視図である。
【図６】  溝の形態を異ならせた実施の形態を示す正面図である。
【図７】  従来のコンクリート構造物を示す斜視図である。
【符号の説明】
１      コンクリート構造物
２      水通し
３      上流面
４      下流面
５      溝
５ａ    溝底
６      植物性長繊維織布
７      コンクリート釘
８      座金
９      ネット
１０    ソイルストッパ
１１    ストッパ板
１２    補強鉄筋
１３    網体
１４    スリーブ
１５    ストッパピン
１５ａ  孔
１６    保持バンド
２０    植生袋
２１    繊網体
２２    混合土壌
２３    開止めピン
Ｐ      植物
【図１】
0003951394.tif 000002
【図２】
0003951394.tif 000003
【図３】
0003951394.tif 000004
【図４】
0003951394.tif 000005
【図５】
0003951394.tif 000006
【図６】
0003951394.tif 000007
【図７】
0003951394.tif 000008